(57)【要約】【課題】この発明は植木鉢への給水を容易に行なうことができるようにした植木鉢用灌水装置を提供することにある。【解決手段】植木鉢に灌水するための灌水装置であって、  上部に植木鉢７が設けられこの植木鉢に供給された水を収容する貯水タンク１と、貯水タンクに一端が接続され他端が植木鉢に散水するための散水部２５に接続される第１の可撓管１５及び第２の可撓管２４と、第１、第２の可撓管の端部間に設けられ貯水タンクに貯えられた水を散水部から植木鉢に加圧して供給する手動ポンプ１８を具備する。【選択図】      図１
2010022296.tif 000002
【特許請求の範囲】
【請求項１】
植木鉢に灌水するための灌水装置であって、
上部に上記植木鉢が設けられこの植木鉢に供給された水を収容する貯水タンクと、
この貯水タンクに一端が接続され他端が上記植木鉢に散水するための散水部に接続される水循環配管と、
この水循環配管の中途部に設けられ上記貯水タンクに貯えられた水を上記散水部から上記植木鉢に加圧して供給するポンプ機構と
を具備したことを特徴とする植木鉢用灌水装置。
【請求項２】
上記散水部は、上記植木鉢の上部に着脱可能に設けられる伸縮可能な環状管であって、この環状管の内周面には上記ポンプ機構を作動させることで上記貯水タンクに収容された水を噴射する複数の噴射孔が周方向に所定間隔で形成されていることを特徴とする請求項１記載の植木鉢用灌水装置。
【請求項３】
上記貯水タンクには、上記ポンプ機構を着脱可能に保持する保持部が一体的に設けられていることを特徴とする請求項１記載の植木鉢用灌水装置。
【発明の詳細な説明】
【技術分野】
【０００１】
この発明は植木鉢に供給した水を回収して繰り返し使用することができるようにした植木鉢用灌水装置に関する。
【背景技術】
【０００２】
最近では室内に観葉植物や蘭などの鉢植えの植物を設置するということが行われている。とくに、住まいが集合住宅の場合、植物を地面に植えることができないから、鉢植えの植物を室内に設置するということが多く行われる。
【０００３】
鉢植えの植物を室内に設置した場合、その植物の種類や季節などにもよるが、通常の場合には日に一度は給水することになる。植物に対して給水するには、いわゆるじょうろが用いられている。つまり、水が入れられたじょうろを室内で持ち歩き、所定の場所に設置された植物、つまり植木鉢に給水するようにしている。
【０００４】
植木鉢に給水すると、その水の一部は植木鉢の土に保水されるが、それ以外の水は底部に形成された排水孔から排出されることになる。そこで、室内に植木鉢を設置する場合、その植木鉢を受け皿に載せ、植木鉢からの排水を受けるようにしている。
【０００５】
特許文献１には植木鉢に給水された水を受ける受け皿が示されている。この受け皿は周辺部に第１水受け溝が形成され、植木鉢の底部に形成された水抜き孔に対応する中心部には第２水受け溝が形成されている。
【０００６】
それによって、植木鉢に多量の水を供給しても、水抜き孔から排出される水は、まず第２水受け溝に溜まり、ついで第１水受け溝に排出されるので、余分な水が植木鉢内に溜まることがない。そのため、植木鉢に多めに注水すればよく、注水量の管理が容易となる。
【０００７】
しかも、植木鉢の植物は第２水受け溝に溜まって蒸発する水を吸収することができるから、長期にわたって水を補給しなくてすむというものである。
【特許文献１】特開２００６−２５７６４号公報
【発明の開示】
【発明が解決しようとする課題】
【０００８】
特許文献１のように、植木鉢の受け皿に第１水受け溝と第２水受け溝を形成すれば、第２水受け溝に溜まって蒸発する水を植物が吸収することで、植物へのじょうろによる給水頻度を少なくすることができる。
【０００９】
しかしながら、第２水受け溝に溜まる水が蒸発しても、その蒸発によって植物が吸収することができる水分は植木鉢にじょうろによって給水する場合に比べてわずかである。しかも、第２水受け溝に溜まる水は植木鉢から排出される水の一部であり、他の水は第１水受け溝に溜まって単に蒸発するだけで、植木鉢の植物への給水には利用されることがない。そのため、じょうろによる植物への給水回数を大幅に減少させることができるものでない。
【００１０】
じょうろによって植物へ給水する場合、水道水などの水をじょうろに補給し、水が入れられたじょうろを持ち歩かなければならない。そのため、植物への給水が煩わしいということがあるばかりか、水が入れられたじょうろを持ち歩くことで、じょうろの水を室内にこぼすこともある。
【００１１】
さらに、室内に多数の植木鉢が設置されている場合、じょうろに一回水を入れただけでは足りないことがあり、そのような場合にはじょうろに再度水を補給しなければならないから、煩わしいということもある。
【００１２】
この発明は、植木鉢から排出される水のほとんど全てを再度、植木鉢に供給できるようにすることで、じょうろを持ち歩かずに植木鉢に給水することができるようにした植木鉢用灌水装置を提供することにある。
【課題を解決するための手段】
【００１３】
この発明は、植木鉢に灌水するための灌水装置であって、
上部に上記植木鉢が設けられこの植木鉢に供給された水を収容する貯水タンクと、
この貯水タンクに一端が接続され他端が上記植木鉢に散水するための散水部に接続される水循環配管と、
この水循環配管の中途部に設けられ上記貯水タンクに貯えられた水を上記散水部から上記植木鉢に加圧して供給するポンプ機構と
を具備したことを特徴とする植木鉢用灌水装置にある。
【００１４】
上記散水部は、上記植木鉢の上部に着脱可能に設けられる伸縮可能な環状管であって、この環状管の内周面には上記ポンプ機構を作動させることで上記貯水タンクに収容された水を噴射する複数の噴射孔が周方向に所定間隔で形成されていることが好ましい。
【００１５】
上記貯水タンクには、上記ポンプ機構を着脱可能に保持する保持部が一体的に設けられていることが好ましい。
【発明の効果】
【００１６】
この発明によれば、貯水タンクの上部に植木鉢を設け、この貯水タンクに植木鉢から排出される水を収容し、その水を植木鉢に供給できるようにしたから、植木鉢から排出される水のほとんど全てを再利用できる。そのため、植木鉢への給水を、じょうろを持ち歩くことなく行なうことが可能となる。
【発明を実施するための最良の形態】
【００１７】
以下、この発明の実施の形態を図面を参照しながら説明する。  
図１に示すこの発明の植木鉢用灌水装置は貯水タンク１を備えている。この貯水タンク１の上部である上面には周壁２を有する皿状の載置部３が形成されている。載置部３の上面は周辺部から中央に向かってわずかに低くなる傾斜面３ａが形成されていて、その中心部には通孔４が穿設されている。
【００１８】
上記載置部３には植木鉢７が載置される。この植木鉢７の周壁の上端部は他の部分よりも厚肉の補強部８が形成され、底壁の中心部には植木鉢７に供給された水を排出する水抜き孔９が形成されている。植木鉢７としては市販されている樹脂製や素焼きのものなどが用いられる。この実施の形態では上記水抜き孔９は１つであるが、複数であっても差し支えない。
【００１９】
それによって、植木鉢７に供給された水Ｗは、その底部の水抜き孔９から排出され、貯水タンク１の上面に形成された通孔４を通ってこの貯水タンク１に貯えられる。なお、貯水タンク１の周壁の上端部には、この内部に水Ｗを補給するための給水口体１１が設けられている。この給水口体１１の開口端は着脱可能なキャップ１２によって閉塞されている。
【００２０】
上記貯水タンク１の周壁の高さ方向の中途部には接続口体１４が液密に貫通して設けられている。この接続口体１４の外部に突出した一端には第１の可撓管１５の一端が着脱可能に接続され、図示せぬバンドなどによって固定されている。この第１の可撓管１５の他端はポンプ機構を構成する手動ポンプ１８の一端に設けられた吸引部１９に着脱可能に接続されている。
【００２１】
上記手動ポンプ１８はたとえば合成樹脂によって蛇腹状に成形されていて、操作者が手でこの手動ポンプ１８の加圧圧縮操作を繰り返すことで、上記吸引部１９に吸引力が発生する。それによって、上記貯水タンク１内の水Ｗは手動ポンプ１８によって吸引される。手動ポンプ１８に吸引された水は上記吸引部１９の内部に設けられた第１の逆止弁２１によって上記貯水タンク１に戻るのが阻止される。
【００２２】
上記手動ポンプ１８の他端には内部に第２の逆止弁２２が設けられた吐出部２３が設けられている。この吐出部２３には上記第１の可撓管１５とで水循環配管を構成する第２の可撓管２４の一端が着脱可能に接続されている。
【００２３】
上記手動ポンプ１８の加圧圧縮を繰り返して行うと、上記吸引部１９に吸引力が発生すると同時に、上記吐出部２３に吐出力が発生する。それによって、上記吸引部１９から上記手動ポンプ１８内に吸引された貯水タンク１内の水Ｗは上記吐出部２３から上記第２の可撓管２４に圧送されることになる。
【００２４】
上記第２の可撓管２４の他端は散水部２５に接続されている。この散水部２５は伸縮可能な蛇腹状の環状管２６と、この環状管２６に移動可能に外嵌された複数のリング部材２８とによって形成されている。リング部材２８には係合片２７が設けられ、上記環状管２６の内周面には周方向に所定間隔で複数の散水孔２９が形成されている。
【００２５】
そして、上記環状管２６は上記係合片２７を上記植木鉢７の補強部８に着脱可能に係合させてこの補強部８の内周面に沿って設けられる。したがって、上記手動ポンプ１８を作動させれば、貯水タンク１の水Ｗが上記環状管２６の内周面に形成された散水孔２９から植木鉢７に散水されるようになっている。
【００２６】
なお、上記接続口体１４の貯水タンク１内に突出した他端には可撓性の揚水管３０の一端が接続されている。この揚水管３０の他端は上記貯水タンク１の内底部に位置している。それによって、貯水タンク１内の全ての水Ｗを上記手動ポンプ１８によって上記散水部２５の環状管２６に供給できるようになっている。
【００２７】
上記貯水タンク１の底部側方には支持板３１が延出されている。この支持板３１には支柱３２が立設されている。この支柱３２には上下方向に所定間隔で離間して一対のアーム３３が設けられている。各アーム３３の先端部にはクリップ状の保持部３４が設けられている。
【００２８】
上下一対の保持部３４には上記手動ポンプ１８の一端と他端に設けられた吸引部１９と吐出部２３がそれぞれ着脱可能に保持されている。それによって、上記手動ポンプ１８を圧縮操作するとき、手動ポンプ１８が動かないから、第１、第２の可撓管１５，２４を不要に引張るようなことなく、安定した状態で上記手動ポンプ１８を圧縮操作できるようになっている。
【００２９】
このように構成された植木鉢用灌水装置によれば、まず、貯水タンク１に水Ｗを収容する。水Ｗを貯水タンク１に収容するには、給水口体１１から補給したり、植木鉢７に供給された水Ｗを回収するなどしてもよいが、予め給水口体１１から十分な量の水Ｗを補給しておくことが望ましい。
【００３０】
そのような状態で、植木鉢７に給水する場合には手動ポンプ１８を操作する。つまり、手動ポンプ１８の加圧圧縮を繰り返して行う。それによって、貯水タンク１に貯えられた水Ｗが第１の可撓管１５を通じて吸引部１９から手動ポンプ１８に吸引され、この手動ポンプ１８の吐出部２３から第２の可撓管２４を通って散水部２５の環状管２６に圧送され、この環状管２６の内周面に穿設された散水孔２９から植木鉢７の内部に供給されることになる。
【００３１】
植木鉢７に供給された水の一部は土などに保持され、残りは底部に形成された水抜き孔９及び貯水タンク１の載置部３の通孔４を通ってこの貯水タンク１に収容される。そのため、植木鉢７に供給した水Ｗのうち、底部の水抜き孔９から流出した水Ｗを繰り返して使用することができるため、貯水タンク１に貯えられた水Ｗの減少度合を遅くすることができる。
【００３２】
それによって、貯水タンク１への水Ｗの供給頻度を少なくすることができるから、手動ポンプ１８を操作するだけで長期にわたって植木鉢７に給水することができる。つまり、植木鉢７に給水するために、従来のようにじょうろを持って室内を移動せずにすむから、その給水を容易に行なうことができるばかりか、室内にじょうろの水をこぼすようなこともない。
【００３３】
散水部２５に伸縮可能な蛇腹状の環状管２６を用いるようにした。そのため、植木鉢７のサイズが変更になった場合でも、上記環状管２６を伸縮させることで、その周壁の上部に係合片２７を係合させて取付けることができる。つまり、植木鉢７のサイズ変更に対応することができる。
【００３４】
図２はこの発明の他の実施の形態を示す。この実施の形態は植木鉢７の周壁の上端部に着脱可能に係合させることができる係合片２７Ａに散水部を構成するスプレーノズル３６が一体的に設けられている。このスプレーノズル３６には第２の可撓管２４が接続される。
【００３５】
それによって、手動ポンプ１８の圧縮を繰り返して行えば、貯水タンク１に収容された水Ｗを上記スプレーノズル３６から噴射させることができる。つまり、散水部としては蛇腹状の環状管２６に限られず、スプレーノズル３６であってもよく、要は手動ポンプ１８を作動させたときに貯水タンク１に貯えられた水Ｗを植木鉢７に供給できればよい。
【００３６】
上記一実施の形態ではポンプ機構に手動ポンプを用いたが、ポンプ機構は手動ポンプに代わり電池式ポンプ或いはコンセントから給電する給電式ポンプを用いるようにしてもよい。
【００３７】
また、貯水タンク１の上面の載置部３に植木鉢を載置するようにしたが、植木鉢７と貯水タンク１を合成樹脂によって一体成形するようにしてもよい。
【図面の簡単な説明】
【００３８】
【図１】この発明の一実施の形態の植木鉢用灌水装置を示す概略的構成図。
【図２】この発明の散水部の変形例を示す図。
【符号の説明】
【００３９】
１…貯水タンク、３…載置部、４…通孔、７…植木鉢、９…水抜き孔、１１…給水口体、１５…第１の可撓管（水循環配管）、１８…手動ポンプ（ポンプ機構）、２５…散水部、２６…環状管、２９…散水孔。
【図１】
2010022296.tif 000003
【図２】
2010022296.tif 000004